(57)【特許請求の範囲】
【請求項１】
身体の物理的な外形寸法を調整するように動作可能であり、且つ複数の身体部位と少なくとも１つの前記身体部位に配置される複数の身体輪郭ピンとを含む調整可能な複数の装置により、前記身体の外側輪郭が前記身体の少なくとも部分上で画定された、見込み顧客の身体を再現した身体であって、
各身体部位は、人体の主要な筋肉を模倣する少なくとも１つの身体パネルを含み、前記複数の身体輪郭ピンは前記少なくとも１つの身体パネル上に配置され、
前記少なくとも１つの身体部位の少なくとも１つの寸法が調整可能であり、且つ前記身体輪郭ピンが前記外側輪郭を画定するために、前記少なくとも１つの身体部位から外側へ延びるように構成される、身体と、
前記複数の装置に動作可能に接続されたデータインタフェースであって、前記複数の装置は、前記インタフェースからの受信データに従って前記外側輪郭を画定するように調整され、
前記受信データが前記顧客の物理的な外形寸法を表し、
前記複数の身体輪郭ピンの少なくとも１つは、前記少なくとも１つの身体輪郭ピン上に装着された物品が及ぼす圧力量を検出するための少なくとも１つの圧力センサを含み、及び、
前記データインタフェースは検出された圧力量を前記顧客に伝えるように動作可能である、データインタフェースと、
を備える、マネキン。
【請求項２】
洋装品が着せられ、それにより、前記洋装品が着せられた状態で前記マネキンがどのように見えるかの現実的な三次元図を前記顧客に提供する、請求項１に記載のマネキン。
【請求項３】
前記複数の身体部位が、腕、脚、首、および胴体を含む、請求項１に記載のマネキン。
【請求項４】
足をさらに含む、請求項３に記載のマネキン。
【請求項５】
前記身体輪郭ピンは、更にそれらの伸長位置から退避するように構成される、請求項１に記載のマネキン。
【請求項６】
前記身体輪郭ピンは伸縮自在であり、伸長／退避は前記ピンの遠位端の物理的位置を変更させるだけである、請求項５に記載のマネキン。
【請求項７】
前記複数の装置は、必要な調整が行われた後、定位置にロックするように動作可能である、請求項１に記載のマネキン。
【請求項８】
前記検出される圧力は、視覚的ディスプレイに表示されて、前記検出された圧力を示す、請求項１に記載のマネキン。
【請求項９】
前記身体輪郭ピンのうちの少なくともいくつかは、圧力感応式であり、前記装着された物品が加える圧力量に従って内側に移動する、請求項１に記載のマネキン。
【請求項１０】
人間の皮膚の特徴のうちの少なくとも１つを再現する材料の外層を更に含む、請求項１に記載のマネキン。
【請求項１１】
装着品の製作、変更、および／または購入を促進するシステムであって、
見込み顧客の物理的な外形特徴を取得する測定手段と、
データインタフェース、および前記インタフェースからの受信データに従ってマネキンの外側輪郭を画定するように、前記顧客の物理的な外形寸法を調整するように動作可能であり、且つ複数の身体部位と少なくとも１つの身体部位上に配置される複数の身体輪郭ピンとを含む調整可能な複数の装置、を有する調整可能なマネキンであって、
各身体部位は、人体の主要な筋肉を模倣する少なくとも１つの身体パネルを含み、前記複数の身体輪郭ピンは前記少なくとも１つの身体パネル上に配置され、
少なくとも１つの身体部位の少なくとも１つの寸法が調整可能であり、前記身体輪郭ピンが前記外側輪郭を画定するために少なくとも１つの身体部位から外側へ延びるように構成され、
前記データは前記顧客の物理的な外形寸法を表し、
前記マネキンによる前記物理的な外形特徴の取り入れに続き、前記マネキンに物品を装着させ、それにより、前記顧客が前記物品を装着した場合に前記物品がどのように見えるかの図を前記顧客に提供し、
前記物品の装着の窮屈度を表示するために各前記身体輪郭ピンに関係する圧力センサを更に含み、前記データインタフェースは検出された圧力量を前記顧客に伝達するように動作可能である、マネキンと、を含むシステム。
【請求項１２】
前記物理的な特徴は、身体部位のうちの少なくともいくつかの高さ、長さ、および幅を含む、前記顧客の寸法を含む、請求項１１に記載のシステム。
【請求項１３】
前記身体輪郭ピンは圧力感応式であり、装着された物品により圧力が及ぼされると、内側に移動する、請求項１１に記載のシステム。
【請求項１４】
小売り環境で使用されるように適合され、それにより、前記マネキンは人体を再現した物理的な構造であり、前記装着される物品は洋装品である、請求項１１に記載のシステム。
【請求項１５】
装着される物品の製作、変更、および／または購入を促進する方法であって、
見込み客の必要とされる物理的な外形寸法を取得すること、
前記物理的な外形寸法を取り入れるように、請求項１に記載の調整可能なマネキンを提供すること、および
前記マネキンに物品を装着させ、それにより、前記顧客が前記物品を装着した場合、前記物品がどのように見えるかの図を前記顧客に提供すること
を含む、方法。
【請求項１６】
前記見込み客の物理的な外形寸法を取得することは、様々な身体部位の高さ、長さ、および幅等の前記顧客の寸法を取得することを含む、請求項１５に記載の方法。
【請求項１７】
前記物理的な外形寸法を取得することは、前記身体部位のうちの少なくともいくつかの外側輪郭または断面を取得することを含む、請求項１５に記載の方法。
【請求項１８】
前記見込み客の物理的な外形寸法を取り入れるように調整可能なマネキンを提供することは、前記見込み客の前記外形寸法を取り入れるように、前記マネキンを調整することを含む、請求項１５記載の方法。
【請求項１９】
前記マネキンに装着された前記物品の画像を前記顧客に提供するさらなるステップを含む、請求項１５に記載の方法。
【請求項２０】
前記画像は、データ通信ネットワークの使用により前記顧客に通信される、請求項１９に記載の方法。
【請求項２１】
前記顧客は、個人通信装置を操作して、前記マネキンに装着された前記物品を表示する画像を受信し、前記個人通信装置で実行されているソフトウェアを操作して、前記物品の購入および供給を注文するか、または断る、請求項２０に記載の方法。
【請求項２２】
前記物品は洋装品であり、前記顧客は前記ソフトウェアを操作して、購入に提供されている様々な洋服の画像から、興味のある洋装品を選択する、請求項２１に記載の方法。
【請求項２３】
前記顧客は、興味のある洋装品を選択し、前記顧客の物理的な外形寸法を、前記顧客の物理的な外形寸法に調整されたマネキンに前記物品を装着させる要求と共に提供する、請求項２２に記載の方法。
【請求項２４】
前記マネキンに装着された前記洋装品の画像の受信に続き、前記顧客は、前記個人通信装置で実行されている前記ソフトウェアを操作して、前記物品のフィット性を向上させるように前記物品への変更を要求する、請求項２３に記載の方法。
【請求項２５】
店員が、前記顧客による検討のために、代替の洋装品および／または代替のサイズの洋装品に関するおすすめを前記顧客に送信する、請求項２２〜２４のいずれか一項に記載の方法。
【請求項２６】
前記定員は、前記顧客の要件および／または好みによりよく合うような、前記マネキンに装着された前記洋装品に対する変更に関するおすすめを前記顧客に送信する、請求項２２〜２５のいずれか一項に記載の方法。
【請求項２７】
見込み客の個人の物理的な外形寸法を記憶するさらなるステップがある、請求項１５に記載の方法。
【発明の詳細な説明】
【技術分野】
【０００１】
本発明は、洋服、靴、または試着が重要な基準である他の装飾品の製作、変更、および／または購入を促進するシステムおよび方法に関する。特に、本システムおよび本方法は、顧客が洋服等の試着する物品を購入する際に、現実的な視覚的なガイドを顧客に提供するために使用し得る、顧客の実際の身体形状を模倣するように調整が可能な外側輪郭を有するマネキンの使用を含む。本システムおよび本方法は特に、オンラインショッピング環境において有用である。
【背景技術】
【０００２】
洋服店で洋服を購入する際、または例えば、Ａｍａｚｏｎ．ｃｏｍ等のオンラインショッピングシステムを使用して洋服を購入する際、通常、物品は二次元の外観のみで選ばれる。例えば、店内では、あるサイズの洋装品が、通常、背が高く、スリムであり、美的に優れた男性および女性の人間の身体形状を再現したマネキンに着せられてディスプレイされる。オンライン環境では、物品は、ウェブページ上の静止画像から選ばれ、通常、洋服のサイズは、現在のサイズ規定に従ってサイズを選択できるドロップダウンリストから選択される。
【０００３】
しばしば、マネキンに着せられた状態で、もしくはオンライン画像で見た場合には望ましく見え得る物品、または店内の試着室にある鏡の二次元反射であってさえもある程度、望ましく見え得る物品が、その洋服が家に届き、顧客が自分の身体形状および趣味に合った正しい物品を選んだか否かを判断するためにより長い時間およびより大きなリソースを有した場合、望ましく見えないことがある。現実世界およびオンライン環境の両方において、顧客が、所望の洋装品を着た場合にどのように見えるのか、および洋服がどのようにフィットするかの現実的な三次元ビューを得ることは困難であり得る。
【０００４】
この問題は、国、洋服製作メーカー、さらにはメーカーそれぞれの洋服範囲でのサイズのばらつきにより、悪化する。
【発明の概要】
【発明が解決しようとする課題】
【０００５】
したがって、本発明の目的は、上記問題を改良すること、または少なくとも、公衆に有用な代替を提供することである。
【０００６】
本発明のさらなる目的は、洋服の購入を促進するシステムおよび方法を提供することである。
【課題を解決するための手段】
【０００７】
一態様では、本発明は、外側輪郭が、物理的な寸法を調整するように動作可能な複数の調整装置により、身体の少なくとも部分上に画定された、見込み客の身体を実質的に再現した身体と、複数の装置に動作可能に接続されたデータインタフェースであって、複数の装置は、インタフェースから受信するデータに従って外側輪郭を画定するように調整される、データインタフェースとを備え、受信データが顧客の物理的な外形寸法を表す、マネキンを提供する。
【０００８】
一実施形態では、マネキンは、洋装品が着せられるように適合され、それにより、洋装品が着せられた状態でマネキンがどのように見えるかの現実的な三次元図を顧客に提供する。顧客は、店内装着の場合、洋装品が着せられたマネキンを直接見ることができ、またはマネキンが顧客から離れた場所にある場合、データ通信ネットワークの使用により、洋装品が着せられたマネキンを見ることができる。最初の場合では、店内のマネキンを使用することにより、顧客は、洋服を試着する必要なく、洋装品が自分の体にどの程度よくフィットするかを直接見ることができる。
【０００９】
マネキンは、複数の身体部位を含むと共に、腕、脚、首、および胴体を含み、それにより、部位のうちの少なくとも１つの少なくとも１つの寸法が調整可能である。
【００１０】
マネキンは足を含み得る。
【００１１】
別の実施形態では、マネキンは、身体上に配置された複数の調整可能な装置の遠位端により画定される外側輪郭を含む。装置は、洋装品がマネキンの外側輪郭の各部位に対して及ぼす圧力量を検出する圧力センサを含み得る。一実施形態では、装置により検出される圧力は、様々な圧力を示すために顧客に提供される。
【００１２】
一実施形態では、マネキンは、圧力感応式であり、洋装品等の装着された物品が加える圧力量に従って内側に退避移動する少なくともいくつかの装置を含む。
【００１３】
マネキンは、人間の皮膚の特徴のうちの少なくとも１つを再現するように適合された材料の外層も含み得る。
【００１４】
別の態様では、本発明は、装着品の製作、変更、および／または購入を促進するシステムであって、見込み客の物理的な外形特徴を取得する測定手段と、データインタフェースおよびインタフェースから受信するデータに従って外側輪郭を画定するように、物理的な寸法を調整するように動作可能な調整可能な装置を有する調整可能なマネキンであって、データは見込み客の物理的な外形寸法を表す、調整可能なマネキンとを含み、マネキンによる物理的な外形特徴の取り入れに続き、マネキンに物品を装着させ、それにより、見込み客が物品を装着した場合に物品がどのように見えるかの図を顧客に提供する、システムを提供する。
【００１５】
顧客の物理的な外側特徴は、身体部位のうちの少なくともいくつかの高さ、長さ、および幅を含み得る。
【００１６】
マネキンの身体部位のうちの少なくともいくつかの外側輪郭は、マネキンの身体上に配置された複数の装置の遠位端により画定し得る。
【００１７】
システムは、個々の装置に関連付けられて、物品の装着の締め付け具合の指示を提供する圧力センサを有するマネキンをさらに含み得る。
【００１８】
一実施形態では、装置は、圧力感応式であり、圧力が加えられると内側に移動する。
【００１９】
システムは、小売り環境で使用されるように適合され、それにより、マネキンは人体を再現した物理的な構造である。
【００２０】
さらなる態様では、本発明は、装着される物品の製作、変更、および／または購入を促進する方法であって、見込み客の物理的な外形寸法を取得すること、物理的な外形寸法を取り入れるように調整可能なマネキンを提供すること、およびマネキンに物品を装着させ、それにより、顧客が物品を装着した場合、物品がどのように見えるかの図を見込み客に提供することを含む、方法を提供する。
【００２１】
見込み客の物理的な外側特徴を取得するステップは、様々な身体部位の高さ、長さ、および幅等の顧客の寸法を取得することを含み得る。
【００２２】
物理的な外形寸法を取得するステップは、身体部位のうちの少なくともいくつかの外側輪郭または断面を取得することを含み得る。
【００２３】
見込み客の物理的な外形寸法を取り入れるように調整可能なマネキンを提供するステップは、顧客の寸法を取り入れるように、マネキンを調整することを含み得る。
【００２４】
各身体部位の外側輪郭は、マネキンの身体上に配置された複数の調整可能な装置により画定され、各装置は物理的な寸法を変更するように動作可能であり、物理的な寸法を取り入れるように調整可能なマネキンの提供は、マネキンが顧客と略同じ外側輪郭を取り入れるように、装置を調整することを含む。
【００２５】
方法は、物品がどのようにフィットするかを顧客に示すさらなるステップを含み得る。
【００２６】
方法は、様々な顧客の個々の物理的な外形寸法を記憶するさらなるステップも含み得る。
【００２７】
別の態様では、本発明は、本発明のシステムおよび方法に従って使用される顧客の物理的な外形寸法のデータベースを提供する。
【００２８】
さらなる態様では、本発明は、本発明のシステムおよび方法に従って使用するために、顧客の物理的な外形寸法をスキャンして記録する身体スキャンユニットを提供する。
【００２９】
本明細書に組み込まれ、本明細書の一部をなす添付図面は、本発明の実施態様を示し、説明と共に本発明を説明する役割を果たす。
【図面の簡単な説明】
【００３０】
【図１】伸長可能な身体部と、伸長可能な身体輪郭ピンとを含む、本発明の第１の実施形態によるマネキンの正面斜視図を示す。
【図２】伸長可能な身体部と、伸長可能な伸長輪郭ピンとを含む、本発明の第２の実施形態によるマネキンの正面斜視図を示す。
【図３】伸長可能な身体部と、伸長可能な伸長輪郭ピンとを含む、図２のマネキンの正面斜視図を示す。
【図４】外層が取り付けられて、人間の皮膚を再現した図３のマネキンの正面斜視図を示す。
【図５】シャツを装着させられた図４のマネキンの正面斜視図を示す。
【図６】伸長した身体部と、顧客の身体輪郭を再現するような伸長位置にある身体輪郭ピンとを含み、外層が取り付けられて、人間の皮膚を再現した、図２のマネキンの正面斜視図を示す。
【図７】シャツを装着させられた図６のマネキンの正面斜視図を示す。
【図８ａ】退避位置にある身体輪郭ピンを詳細に示す、図２のマネキンの胴体を横切る断面図を示す。
【図８ｂ】伸長位置にあり、顧客の身体輪郭を再現した身体輪郭ピンを詳細に示す、図２のマネキンの胴体を横切る断面図を示す。
【図８ｃ】外層が取り付けられて、人間の皮膚を再現した図８ｂのマネキンの胴体を横切る断面図を示す。
【図９】本発明の第３の実施形態によるマネキンの胴体を横切る断面図を示す。
【発明を実施するための形態】
【００３１】
本発明の以下の詳細な説明では、添付図面を参照する。説明は例示的な実施形態を含むが、他の実施形態も可能であり、本発明の趣旨および範囲から逸脱せずに、説明される実施形態に変更を行い得る。可能な場合は常に、同じ参照番号が、同じ部品および同様の部分を参照するために図面および以下の説明全体を通して使用される。
【００３２】
本発明は、調整可能なマネキンを使用する店内の洋服および／またはオンラインショッピング環境等の装着された物品の製作、変更、および／または購入を促進するシステムおよび方法に関する。一実施形態では、本明細書において具現されるマネキンは、それぞれ伸長可能である複数の身体部位と、各身体部位上に配置され、見込み客の身体形状を再現するように外側に向かって拡張し得る複数の身体輪郭ピンとを含む。顧客の身体形状を首尾良く再現できるように、かつマネキンに１つまたは複数の洋装品を装着できるように、顧客に、顧客自身が仮に同じ洋装品を着た場合にどのように見えるかの三次元図が提供されることを当業者は認識しよう。これは、様々な位置（例えば、立っている、座っている、腕が伸びている、肘が曲がっている等）においてマネキンの画像を収集し得るいくつかのカメラをマネキンの周囲に配置することにより、達成し得る。マネキンが店内に配置されている場合、顧客は、顧客自身の物理的な外形寸法に合致するマネキンに着せられた洋装品を直接見ることができるように、洋装品をマネキンに着せることを要求し得る。あるいは、マネキンが顧客から離れて配置されている場合、顧客に、マネキンに着せられた洋装品の画像を提供し得る。これに関して、顧客に提供される画像は、二次元デジタル画像を含んでもよく、または代替として、まるで顧客自身が着ているかのように見える洋装品を顧客が見るために、三次元画像もしくはホログラフィック画像を含んでもよい。勿論、将来の技術開発により、顧客が調整可能なマネキンに着せられた洋装品を見ることができる様式に関して改良が提供され得、本発明は、現在の技術に従って画像提供に利用可能な方法のみに限定されるものとして考えられるべきではない。
【００３３】
これより図１を参照して、本発明の第１の基本的な実施形態によるマネキン１０ａを示す。特に、マネキン１０ａは、細長い楕円の円柱体の形態の胴体１２と、それぞれ細長い円柱体の形態である首１４、腕１６、および脚１８とを含む。頭部２０はまた、首１４の上に位置する。マネキン１０ａは、非常に基本的な形態で身体を再現する。
【００３４】
顧客の身体を再現する際の第１のステップは、身長および各手足の長さを取り入れることである。このために、各身体部位を所望の位置に伸長させ、その位置にロックすることが可能である。例えば、顧客の身長、胴体、およびウエストの寸法、腕の長さ、脚の長さ等の詳細が分かっている場合、マネキン１０ａをそれらの寸法に調整することができる。身体部位の伸長は、例えば、入れ子式伸長（図示せず）、可動式ピストン（図示せず）により互いに接続された部位、または電子手段を含む任意の既知の手段を使用して達成し得る。他の手段としては、選択可能な距離に沿って部位を移動させるサーボモータの使用を挙げることができる。
【００３５】
マネキン１０ａの高さおよび各身体部位の長さが、顧客の寸法に従って調整されると、再現を完了するために必要なことは、マネキンの身体形状および輪郭を調整することだけである。図示の実施形態では、複数の身体輪郭ピン２２が、胴体１２、首１４、両腕１６、両足１８のそれぞれに配置される。ピン２２は、各身体部位から外側に向かって延長するように適合されると共に、プロセスを繰り返すことができるように、元の位置に再び退避するようにも適合される。ここでも、これは、任意の適した既知の手段を使用して達成し得、正確なサーボモータを使用してもよい。あるいは、ピンは、ピンの伸長および／または退避がピンの一端部の物理的な位置のみを変更するような入れ子式であってもよい。
【００３６】
別の実施形態では、膨張可能な袋を使用して、顧客の輪郭を再現するようにマネキンの外形を調整し、特定の一実施形態では、伸長可能／退避可能なピンと膨張可能な袋との組み合わせが、マネキンの異なる身体部位の外形を画定するのに適した２種類の装置として使用される。さらなる実施形態は、ワイヤの長さがワイヤの温度またはワイヤを通る電流に依存するナノワイヤ技術を使用し得る。この技術は、両腕および／または両脚の長さ等の各身体部位の長さの調整に特に有用であり得る。
【００３７】
勿論、マネキンの外形を画定するために、液圧および／または気圧のいずれかで動作する装置も等しく使用し得ることも当業者ならば理解するであろう。
【００３８】
複雑性のより低い実施形態では、マネキンの外形を画定する装置として、バネを使用し得る。
【００３９】
一実施形態において、店内環境では、店員が顧客を測定し、そのようなデータを、ピンを移動させるためにマネキンに動作可能に接続された計算装置に入力し得る。オンライン環境では、顧客が、インターネットを介してそのようなデータを単にアップロードし得る。ピン２２の移動は、そのような入力輪郭データに従っても電子的に制御し得る。
【００４０】
代替の構成では、顧客の外形をスキャンするために、スキャンシステムを使用してもよく、三次元ピンアート彫刻（pin art sculpture）同様の技術を使用してもよもよく、レーザを使用する三次元スキャンシステムを使用してもよく、または他の任意の技術を使用してもよい。本発明は、顧客から身体外形データを得る何れの様式にも、またはピンもしくは他の装置の物理的な位置を調整して、マネキンが顧客の外形を模倣するように、マネキンの外形を確立するために、マネキンにそのようなデータを伝達する何れの様式にも限定されない。
【００４１】
図２は、本発明の別の実施形態によるより洗練されたマネキン１０ｂを示し、このマネキン１０ｂは、人体をより正確に模倣する。マネキン１０ｂは、人体の主要な筋肉を実質的に模倣する複数の身体「パネル」２４を含み、例えば、二頭筋のそれぞれに１枚のパネル２４があり、胸筋のそれぞれに１枚のパネル２４があるなどである。例えば、図示の首パネルのように、必要な場合、多数のパネルを含むのではなく、むしろ、１枚の湾曲したパネル２４を使用してもよい。
【００４２】
ここでも、マネキン１０ｂの主要な各身体部位は伸長可能である。図３は、身体部位伸長を経て、顧客の寸法をより美的に脚源したマネキン１０ｂを示す。特に、両肩が広げられ、胴体、両腕、両脚が伸長された。図示の実施形態では、骨格シャフト３０が伸長可能な各身体部位を接続し、ここでも、伸長はピストン構成等の任意の既知の手段を使用して達成することができる。
【００４３】
マネキン１０ｂのように、複数の身体輪郭ピン３２が、各パネル上に配置され、外側に向かって延長して、顧客の身体輪郭を再現するように適合される。輪郭ピン３２の直径は、図１に詳細に示されるピン２２と比較して小さく、より高密度に存在し、それにより、顧客の輪郭をより正確に模倣する。しかし、これは単なる例としてのみであり、マネキン１０ａのより直径が大きく、よりまばらなピンも等しく良好に使用することができる。
【００４４】
図４は、人間の皮膚を再現するように適合された材料３４の外層を含むマネキン１０ｂを示す。材料３４は、マネキン１０ｂが変形を受けている間であっても、マネキンをしっかりと抱え込み、常にフィットした状態を保ち得るように、弾性を有し得る。材料３４が、マネキン１０ｂの寿命にわたり使用するのに十分な弾性を有するものと考えられる。
【００４５】
本発明の恩恵のうちのいくつかを当業者ならばすでに認識しているはずである。最も基本的な形態１０ａのマネキンは、より洗練された形態１０ｂと同様に、顧客が特定の洋装品を着た場合にどのように見えるかを顧客に向けて視覚的に実証する手段を提供するため、店頭購入環境およびオンライン購入環境の両方で有用である。これは、顧客の物理的な外形特徴を複製することにより達成される。店内では、マネキンは物理的なものであってもよく、または明らかにオンライン購入環境でもそうであるように、顧客が見ることができる画像の形態であってもよい。
【００４６】
図５は、例えば、マネキン１０ｂの身体形状とおおよそ同様の身体形状を有する人物が長袖シャツ３６を着た場合、どのように見えるかを示し、人物は、マネキン１０ｂの身体形状とおおよそ同様の身体形状を有するため、ピン３２を外側に向かって延長する必要はなく、身体部位をわずかに延長させる必要があるだけであった。図６は、より大柄の人物からのデータがシステムに入力された場合、マネキン１０ｂがどのように見えるかを示す。ピン３４は、顧客の身体輪郭を模倣する程度まで、パネル２４の大半から外側に向かって延長された。外層皮膚３４が伸びたことも理解することができる。図７は、このマネキン１０ｂに着せられた長袖シャツ３８がどのように見えるかを示す。
【００４７】
図８ａおよび図８ｂは、ピン３２が、顧客の入力された形状に応じて、マネキン１０ｂ内部の退避位置から、マネキン１０ｂ外部の様々な延長位置にどのように移動するかを漸進的に示す。特に、マネキン１０ｂの胴体領域を通る断面が示される。図８ｃは、材料３４の滑らかな外層が加えられて、人間の皮膚を再現した同じマネキンを示す。
【００４８】
図９は、さらなるマネキン実施形態１０ｃの胴体の断面図を示す。マネキン１０ｂのように複数のパネルで構成された中空の身体を有さずに、むしろ、身体の垂直軸を通って延長する１枚の平坦なパネル４０があり、ピン４２は、マネキン１０ｂのパネルの位置と同様の程度まで、パネル４０から外側に向かって延長するように作られる。次に、ピン４２を、任意の既知の手段により、必要に応じて延長することができ、例えば、ピン４２は入れ子式であり得る。
【００４９】
本発明のさらなる態様では、洋装品の見た目だけではなく、フィット性も確認することができる。例えば、本明細書において具現される各マネキンにおいて、身体輪郭ピンは、その先端に、洋装品がマネキンの任意の一点に加えられる圧力量、ひいては洋装品を着た際に顧客の対応する位置に加えられるであろう圧力を検出するために使用し得る圧力センサ（図示せず）を含むことができる。これが有用であることを証明し得る一例は、人が異常に大きな首幅を有し得、シャツを購入したい場合である。マネキンの使用は、シャツが顧客の胴体領域および腕領域に適し得る場合であっても、首周りに不快な圧力を提供し得ることを示すことになる。圧力センサ等を使用するに当たり、そのような情報を取り出し、顧客に再び中継することができ、顧客は次に、より多くの情報を得た上で判断し得る。一実施形態では、情報は、洋装品が顧客に圧力を加える領域に関する情報が過大であり、不快さを容易に理解できるように、異なる圧力に異なる色を使用して、画面上に表示し得る。別の実施形態では、顧客に、洋装品のフィット性に関する簡単なリポートを提供し得る。
【００５０】
圧力センサ（図示せず）を使用するのではなく、むしろ、ピン２２および３２は、顧客の身体輪郭に合うように延長した後、洋装品がピンに当接して着せられてから、退避もするように、触感感応式であり得る。したがって、ピンを、圧力の程度により付勢・退避させて、洋装品がどのように見えるかを顧客に示し得る。
【００５１】
そのような移動は記録することができ、これは、洋装品が身体のどこにどの程度の圧力を加えるかの指示も提供することになる。ここでも、この情報が取り出された後、再び顧客に中継することができる。明らかなことに、上述した圧力に対する感度を有するピンを使用する場合、人間の皮膚を再現するための材料外層は使用可能ではないことがある。
【００５２】
本発明は特に、顧客の身体を正確に反映するように調整して、洋装品の購入前に、装飾品の見た目およびフィット性の査定を支援するマネキンを使用して、オンラインショッピング環境での洋服の購入の促進に適する。これに関して、顧客は、パーソナルコンピュータ、個人情報端末、またはオンライン小売店により販売に提供される様々な洋服を検討し、物理的な外形寸法を表すデータの提供に続き、顧客のサイズに調整されたマネキンに着せられた様々な洋装品の画像を要求するように適宜装備されたセル電話等の個人通信装置を使用し得る。このプロセス中、店員は、洋装品の選択に関するガイダンスを顧客に提供し、顧客によりよく合い得る代替品または恐らくは代替のサイズを示唆し得る。
【００５３】
本発明の一実施形態では、顧客は、個人通信装置で実行されているソフトウェアを操作して、洋装品を選択し、マネキンへの洋装品のフィット性を要求し、洋装品が着せられたマネキンの画像を検討した後、洋装品の購入を注文または断るために必要なステップを実行する。代替として、顧客は、自分の身体形状およびサイズによりよく合った、洋装品に対する代替を要求し得る。
【００５４】
本発明が、靴およびブーツ等の履物の購入にも等しく良好に使用し得ることも理解される。説明されていないが、身体と同様に、ピンを使用して、人の足を表し、ユーザが靴またはブーツがどのように見えるかを見られるようにし得ることを読み手は理解するであろう。圧力センサと共に、ユーザに履物が快適か否かも示されよう。
【００５５】
本発明を不完全なマネキン、または少なくとも個々の身体部位に適用してもよいことも読み手は理解するであろう。したがって、異なる洋服店および／または履物店では、身体のある部位のみを必要とし得る。例えば、時計を販売する小売りアウトレットは、どの時計が自分の腕に装着された状態でどう見え得るかを購入見込み者に対して示す代表的な腕のみを有したいことがある。同様に、宝石店は代表的な手を有することを望み得る。顧客のデータベースを保持することにより、店は、宝石が顧客の手または手首に付けられた状態でどのように見えるかを示すカタログを顧客に電子メール送信し得る。同じことが、履物小売りアウトレットならびに手袋および帽子を提供する店にも該当する。したがって、本発明を完全なマネキンに限定されるべきではないことを理解されたい。
【００５６】
別の実施形態では、ネックレス等の宝石をマネキンに装着させて表示して、宝石がどのように見えるかを見る機会をユーザに与え、そのような物品の購入を支援することもできる。
【００５７】
本発明は、既製服品のオンラインショッピングに対して特に有用であるが、顧客がオーダーメードの洋服を要求する場合にも使用できる。この場合、顧客は、自分の物理的な外形寸法を測定し、調整可能なマネキンを装備した仕立屋に供給する。仕立屋は次に、要求される装飾品に関する命令を顧客から受信し、自分の物理的な外形寸法を仕立屋に提供し得る。仕立屋は次に、顧客の物理的なサイズに調整されたマネキンを使用して、装飾品の製作に取りかかる。勿論、仕立屋は調整可能なマネキンに近づく必要があろうが、本発明の使用により、この例では、顧客が試着セッションのために仕立屋を繰り返し往復する要件が実質的に低減される。これが最も有用であると考えられる特定の一例は、ウェディングドレスのデザインおよび製作であろう。
【００５８】
本発明のそのような使用の別の恩恵は、仕立屋が顧客から離れていても、それでもやはり装飾品の製作開始が可能なことである。例えば、仕立屋は、顧客の場所と比較して海外に存在してもよく、または場合によっては、田舎を拠点とする顧客が、自分の物理的な外形寸法に関するデータを、都市部にいる仕立屋に提供することができる。この特定の実施形態は、顧客が既存の洋装品に対する変更を要求し、その洋服を仕立屋に送信し得る場合にも該当する。仕立屋は、調整可能なマネキンを、顧客の物理的な外形寸法に関する最新データと共に使用することにより、装飾品を正確に変更可能であり得る。
【００５９】
本発明は、顧客が装飾品の試着の回避を好む店内小売りアウトレットでも有用である。これは、装飾品が汚れることが回避されるため、店主にとっても恩恵である。装飾品が顧客が予想したほどは上手くフィットしない場合、調整可能なマネキンを使用して、顧客に似合う必要な代替を決定し得る。
【００６０】
調整可能なマネキンを使用しての実際の閲覧および／または洋装品の購入の実際のモードに関係なく、顧客の物理的な外形寸法の収集により、顧客のサイズを定義する番号または他の何らかの指標を顧客に提供し得るユニバーサルなサイジングシステムの開発が可能である。長い期間にわたり、顧客がサイズを小売り洋服供給業者に対して伝えられるように（ユニバーサルなサイジングシステムに従って）、小売りアウトレットがユニバーサルなサイジングシステムを採用し得ることが期待されてきた。この特定の例では、顧客は、小売りアウトレット内で正確なサイズを見つけることができない可能性があるが、少なくとも、小売り洋服アウトレットが配置されている場所に関係なく、自分のサイズに近い洋装品を見つけることが可能なはずである。したがって、そのようなシステムを使用して、ある国の顧客が、別の国の誰かに自分のユニバーサルなサイズを伝えることができ、その誰かは、顧客のサイズ要件を正確に理解することになる。
【００６１】
本発明を、個人の洋服を購入する特定の応用例を使用して説明したが、他の状況にも等しく適用し得ることも読み手は理解しよう。例えば、馬術業界は、ユーザが自分の馬の形状を取得し、続けて、様々なサドルが馬に装着された状態でどのようにフィットし、どのように見えるか、および圧力センサを使用した実施形態において、サドルが実際に馬にとって快適か否かを判断するという点で、本発明から恩恵を受け得る。
【００６２】
本発明の範囲から逸脱せずに、さらなる利点および改良を本発明に対して行い得る。本発明を、最も実用的であり、最も好ましい実施形態であると考えられる実施形態において図示し説明したが、本発明の範囲内および趣旨内で、その実施形態から逸脱し得、本発明が、本発明に開示される詳細に限定されるべきではなく、特許請求の完全な範囲がありとあらゆる均等なデバイスおよび装置を包含することを許容すべきであることが認識される。
【図１】
0005704460.tif 000002
【図２】
0005704460.tif 000003
【図３】
0005704460.tif 000004
【図４】
0005704460.tif 000005
【図５】
0005704460.tif 000006
【図６】
0005704460.tif 000007
【図７】
0005704460.tif 000008
【図８ａ】
0005704460.tif 000009
【図８ｂ】
0005704460.tif 000010
【図８ｃ】
0005704460.tif 000011
【図９】
0005704460.tif 000012